(57)【要約】【課題】給送部に保持される記録材や排出部に排出される記録材について、木材の有する調湿機能を利用して適切な調湿を行う。【解決手段】保持する記録材Ｐを給送する給送部６０Ａと、前記給送部から給送される記録材に画像を形成する画像形成部と、前記画像形成部によって画像が形成された記録材が排出される排出部とを備えた画像形成装置であって、前記給送部６０Ａ及び前記排出部のうちの少なくとも一方を構成する構成部材のうち、記録材の近傍に配置される構成部材６４が木製である。【選択図】図３
2022001530.tif 000002
【特許請求の範囲】
【請求項１】
保持する記録材を給送する給送部と、
前記給送部から給送される記録材に画像を形成する画像形成部と、
前記画像形成部によって画像が形成された記録材が排出される排出部とを備えた画像形成装置であって、
前記給送部及び前記排出部のうちの少なくとも一方を構成する構成部材のうち、記録材の近傍に配置される構成部材が木製であることを特徴とする画像形成装置。
【請求項２】
請求項１に記載の画像形成装置において、
前記木製の構成部材は、前記給送部における前記画像形成装置の内部に位置する部分を構成する構成部材を含むことを特徴とする画像形成装置。
【請求項３】
請求項２に記載の画像形成装置において、
前記木製の構成部材は、前記給送部の収容部内に収容される記録材の端部位置を規制する規制部材であることを特徴とする画像形成装置。
【請求項４】
請求項１乃至３のいずれか１項に記載の画像形成装置において、
前記給送部は、手差し給送部であり、
前記木製の構成部材は、前記手差し給送部を構成する構成部材を含むことを特徴とする画像形成装置。
【請求項５】
請求項１乃至４のいずれか１項に記載の画像形成装置において、
前記木製の構成部材は、前記排出部における記録材が載置される載置部材を含むことを特徴とする画像形成装置。
【請求項６】
請求項１乃至５のいずれか１項に記載の画像形成装置において、
被読取材給送部から給送される被読取材上の画像を読み取る画像読取部を有し、
前記被読取材給送部を構成する構成部材のうち、被読取材の近傍に配置される構成部材が木製であることを特徴とする画像形成装置。
【請求項７】
ユーザーが直接触れて操作する接触操作部を備えた画像形成装置であって、
前記接触操作部を支持する支持構造体を構成する構成部材の少なくとも一部が樹脂製又は金属製であり、
前記接触操作部が木製であることを特徴とする画像形成装置。
【請求項８】
画像形成部によって画像が形成された記録材が排出される排出部が上部に配置され、該排出部の上方に対向して天板部材が配置された画像形成装置であって、
前記天板部材が木製であることを特徴とする画像形成装置。
【請求項９】
請求項１乃至８のいずれか１項に記載の画像形成装置において、
前記木製の部材は、木材由来の加工材を用いて形成されることを特徴とする画像形成装置。
【請求項１０】
請求項９に記載の画像形成装置において、
前記加工材は、中密度繊維板、セルロースナノファイバー又は木材プラスチック複合材であることを特徴とする画像形成装置。
【請求項１１】
請求項１乃至１０のいずれか１項に記載の画像形成装置において、
前記木製の部材は、木製部分と樹脂製部分又は金属製部分とが組み合わされた部材であることを特徴とする画像形成装置。
【請求項１２】
保持する被読取材を給送する被読取材給送部と、
前記被読取材給送部から給送される被読取材上の画像を読み取る読取部とを備えた画像読取装置であって、
前記被読取材給送部を構成する構成部材のうち、被読取材の近傍に配置される構成部材が木製であることを特徴とする画像読取装置。
【発明の詳細な説明】
【技術分野】
【０００１】
本発明は、画像形成装置及び画像読取装置に関するものである。
【背景技術】
【０００２】
従来、保持する記録材を給送する給送部と、前記給送部から給送される記録材に画像を形成する画像形成部と、前記画像形成部によって画像が形成された記録材が排出される排出部とを備えた画像形成装置が知られている。
【０００３】
例えば、特許文献１には、通常の生活空間に置かれてインテリアを構成するいわゆる家具調の外観となるように、本体ハウジングを構成する箱体が木製であるプリンタ（画像形成装置）が開示されている。この特許文献では、箱体に用いられる多孔質木材の吸湿性により、特にインクジェットプリンタの使用環境を容易に好ましい状態に保つことができるとしている。
【発明の概要】
【発明が解決しようとする課題】
【０００４】
ところが、従来の画像形成装置においては、給送部に保持される記録材や排出部に排出される記録材についての環境を好ましい状態に保つという点に関し、いまだ改善の余地がある。
【課題を解決するための手段】
【０００５】
上述した課題を解決するために、本発明は、保持する記録材を給送する給送部と、前記給送部から給送される記録材に画像を形成する画像形成部と、前記画像形成部によって画像が形成された記録材が排出される排出部とを備えた画像形成装置であって、前記給送部及び前記排出部のうちの少なくとも一方を構成する構成部材のうち、記録材の近傍に配置される構成部材が木製であることを特徴とする。
【発明の効果】
【０００６】
本発明によれば、給送部に保持される記録材や排出部に排出される記録材についての環境を好ましい状態に保つことができる。
【図面の簡単な説明】
【０００７】
【図１】（ａ）は、実施形態における画像形成装置の一例を示す正面図。（ｂ）は、同画像形成装置の上面図。
【図２】同画像形成装置の構成を示す模式図。
【図３】同画像形成装置における給紙トレイを示す斜視図。
【図４】同給紙トレイを用紙搬送方向に対して直交する面で切断したときの断面図。
【図５】同画像形成装置の斜視図。
【図６】同画像形成装置における排紙トレイを用紙搬送方向沿って切断したときの断面図。
【図７】変形例の画像形成装置を示す斜視図。
【図８】手差し給紙トレイを示す斜視図。
【発明を実施するための形態】
【０００８】
以下、本発明に係る画像形成装置の一実施形態について、図面を参照して説明する。
なお、本実施形態における画像形成装置は、電子写真方式の画像形成部を備える画像形成装置であるが、インクジェット方式などの他の画像形成方式の画像形成部を備えるものであってもよい。また、本実施形態の画像形成装置は、画像形成部が４つの感光体を備える中間転写方式のタンデム型のカラー画像形成装置であるが、他のカラー画像形成装置やモノクロ画像形成装置であってもよい。
【０００９】
図１（ａ）は、本実施形態における画像形成装置の一例を示す正面図であり、図１（ｂ）は、本実施形態の画像形成装置の上面図である。
図２は、本実施形態の画像形成装置の構成を示す模式図である。
【００１０】
本実施形態の画像形成装置１は、記録材である用紙Ｐ上に画像を形成する画像形成部１００と、操作パネル１０１とを備えている。画像形成部１００は、イエロー（Ｙ）、マゼンタ（Ｍ）、シアン（Ｃ）、黒（Ｋ）の色ごとの作像部１０Ｙ，１０Ｍ，１０Ｃ，１０Ｋが中間転写体としての中間転写ベルト２０の回転方向に沿って配列されたタンデム型の画像形成装置である。各作像部１０Ｙ，１０Ｍ，１０Ｃ，１０Ｋは、それぞれ、潜像担持体としての感光体１１Ｙ，１１Ｍ，１１Ｃ，１１Ｋを備えている。また、各作像部１０Ｙ，１０Ｍ，１０Ｃ，１０Ｋは、感光体１１Ｙ，１１Ｍ，１１Ｃ，１１Ｋの周囲に、感光体表面を一様に所定電位に帯電する帯電手段としての帯電装置と、帯電装置によって一様に帯電された感光体表面上に画像情報に応じて露光して静電潜像を書き込む静電潜像形成手段としての光書込装置と、感光体上の静電潜像にそれぞれの色（Ｙ、Ｍ、Ｃ、Ｋ）のトナーを付着させる現像処理によりトナー像を作成する現像手段としての現像装置と、感光体上のトナー像を中間転写ベルト２０上に転写する一次転写手段としての一次転写装置と、感光体上の転写残トナーを除去してクリーニングするクリーニング手段としてのクリーニング装置とを備えている。
【００１１】
各感光体１１Ｙ，１１Ｍ，１１Ｃ，１１Ｋ上に形成された各色トナー像は、一次転写装置によって、中間転写ベルト２０上に互いに重なり合うように一次転写され、中間転写ベルト２０上にカラートナー像が形成される。中間転写ベルト２０上のカラートナー像は、中間転写ベルト２０の回転に伴って二次転写装置３０との対向領域（二次転写領域）へと搬送される。
【００１２】
一方、画像形成部１００の下部には、保持する用紙Ｐを給送する給送部としての用紙給紙部６０が設けられている。本実施形態の用紙給紙部６０は、上段、中段、下段の３つの給紙トレイ６０Ａ，６０Ｂ，６０Ｃから構成されている。用紙給紙部６０は、画像形成部１００の制御部５００からの指示に従って選択されるいずれかの給紙トレイ６０Ａ，６０Ｂ，６０Ｃからピックアップローラ６１により用紙Ｐを１枚ずつ給紙する。そして、図中破線で示す搬送経路に沿って、搬送ローラ対６２により二次転写領域へと用紙Ｐが搬送される。
【００１３】
中間転写ベルト２０上のカラートナー像は、二次転写領域において、所定のタイミングで搬送ローラ対６２により搬送されてくる用紙Ｐ上に、二次転写装置３０により二次転写される。カラートナー像が形成された用紙Ｐは、その後、定着手段としての定着装置４０へと搬送され、熱と圧力の作用により、カラートナー像が用紙Ｐ上に定着される。定着後の用紙Ｐは、図中破線で示す搬送経路に沿って搬送され、排出部としての排紙トレイ５０へと排出される。
【００１４】
本実施形態においては、画像形成部１００によって画像が形成された用紙Ｐが排出される排紙トレイ５０が画像形成部１００の上部に配置され、その排紙トレイ５０の上方近傍に天板部材１０２が配置されている。このような天板部材１０２を配置することで、画像形成部１００の上部に排紙トレイ５０が配置される画像形成装置１であっても、その上面を作業台として活用することができる。
【００１５】
画像形成部１００の上部に排紙トレイ５０が配置される構成においては、画像形成部１００の定着装置４０も画像形成部１００の上部に配置され、天板部材１０２の近傍に配置されることになる。そのため、一般には、定着装置４０で発生する熱が、例えば画像形成装置１の上面を構成する金属製フレーム部材等の熱伝導率の高い部材を介して天板部材１０２へと伝わりやすい。そのため、画像形成部１００の上部に排紙トレイ５０が配置される構成では、通常、耐熱性の低い木製の天板部材１０２を採用することが避けられる。
【００１６】
しかしながら、本実施形態においては、天板部材１０２の一部（大部分）が排紙トレイ５０の上方に対面して配置されている。そのため、天板部材１０２と金属製フレーム部材等との接合箇所が少なく、定着装置４０で発生する熱が天板部材１０２へと伝わりにくい構成となっている。そのため、本実施形態によれば、耐熱性の低い木製の天板部材１０２を採用することができる。
【００１７】
また、画像形成装置１のユーザーの視野に入りやすい天板部材１０２に木製のものを採用することで、画像形成装置が設置されるオフィス等の環境（一般に、木の温かみを感じることの少ない環境）であっても、ユーザーに木の温かみを感じてもらうことができ、ユーザーに落ち着きや安らぎを与える効果が期待できる。特に、本実施形態の天板部材１０２は、無垢の木材を加工して形成されたものであり、ユーザーに木の温かみを感じてもらいやすい。
【００１８】
また、排紙トレイ５０の上方に対面して配置される天板部材１０２が木製であることで、木材の調湿機能（主に吸湿機能）により、排紙トレイ５０に排出される用紙Ｐの湿度を調整したり（主に湿度を下げたり）、定着装置４０から画像形成装置１の排紙口を介して漏れ出る湿気を吸収したりすることができる。特に、木材の調湿機能により調湿が可能であることで、除湿ヒータなどのように電力を消費することなく調湿が可能となる点で、省エネルギーのメリットもある。
【００１９】
また、排紙トレイ５０の上方に対面して配置される天板部材１０２が木製であることで、木材の吸音機能により、画像形成装置１の排紙口から漏れ出る騒音を吸収する効果も得られ、画像形成装置１の騒音対策にも効果を発揮する。
【００２０】
また、天板部材１０２として、いわゆるカーボンニュートラルである木製のものを採用することで、金属製やプラスチック製のものを採用する場合と比べて、環境へ配慮した製品づくりに寄与することができる。
【００２１】
また、本実施形態においては、画像形成装置１の前面に、各給紙トレイ６０Ａ，６０Ｂ，６０Ｃを引き出す際にユーザーが直接触れて操作する接触操作部としての取手部材６３が設けられている。ユーザーは取手部材６３を把持して引くことにより、画像形成装置１の内部から給紙トレイ６０Ａ，６０Ｂ，６０Ｃを引き出し、給紙トレイ６０Ａ，６０Ｂ，６０Ｃに用紙Ｐをセットすることができる。
【００２２】
本実施形態においては、取手部材６３についても木製のものを採用している。このようにユーザーが直接触れて操作する取手部材６３を木製とすることで、ユーザーに対し、操作時に金属製やプラスチック製等とは異なる質感を提供できる。特に、本実施形態の天板部材１０２は、無垢の木材を加工して形成されたものであり、ユーザーに良好な質感を提供することができる。
【００２３】
また、取手部材６３のようにユーザーが直接触れて操作する接触操作部は、一般に、ユーザーが操作する箇所を容易に把握することができるように、ユーザーによって操作されることが想定されていない非操作部とは視覚的に区別されるように構成される。そのため、接触操作部も非操作部も同じプラスチック製のものである従来の画像形成装置では、非操作部とは異なる色に着色した接触操作部を用いることが多い。これに対し、本実施形態の取手部材６３のように接触操作部として木製のものを用いることで、それ自体で非操作部との視覚的な違いを生み出すことができ、わざわざ非操作部との視覚的な違いを出すために着色などの処理を行う必要がなくなる。
【００２４】
また、木製の取手部材６３を採用することで、木製の天板部材１０２と同様、金属製やプラスチック製のものを採用する場合と比べて、環境へ配慮した製品づくりに寄与することができる。
【００２５】
また、本実施形態においては、図３に示すように、給紙トレイ６０Ａ，６０Ｂ，６０Ｃを構成する構成部材のうち、用紙Ｐの近傍に配置される構成部材であるサイドフェンス６４に、木製のものを採用している。本実施形態のサイドフェンス６４も、無垢の木材を加工して形成されたものである。このように用紙Ｐの近傍に配置されるサイドフェンス６４が木製であることで、木材の調湿機能（主に吸湿機能）により、給紙トレイ６０Ａ，６０Ｂ，６０Ｃ内の用紙Ｐの湿度を調整する（主に湿度を下げる）ことができる。また、サイドフェンス６４は、給紙トレイ６０Ａ，６０Ｂ，６０Ｃを構成する構成部材の中で画像形成装置１の内部に位置する部分であることから、画像形成装置１の内部の湿度を調整することができるメリットもある。
【００２６】
サイドフェンス６４も、取手部材６３と同様にユーザーが直接触れて操作する直接操作部であるため、サイドフェンス６４が木製であることにより、ユーザーに対し、操作時に金属製やプラスチック製等とは異なる質感を提供できる。
【００２７】
また、本実施形態のサイドフェンス６４として木製のものを用いることで、取手部材６３と同様、それ自体で非操作部との視覚的な違いを生み出すことができ、わざわざ非操作部との視覚的な違いを出すために着色などの処理を行う必要がなくなる。
【００２８】
また、画像形成装置１の内部に位置するサイドフェンス６４が木製であることで、木材の吸音機能により、画像形成装置１の内部で発生する騒音を吸収する効果も得られ、画像形成装置１の騒音対策にも効果を発揮する。
【００２９】
また、サイドフェンス６４として、いわゆるカーボンニュートラルである木製のものを採用することで、金属製やプラスチック製のものを採用する場合と比べて、環境へ配慮した製品づくりに寄与することができる。
【００３０】
以上のような木製のメリットは、給紙トレイ６０Ａ，６０Ｂ，６０Ｃ内に収容される用紙Ｐの用紙搬送方向に対して直交する方向の端部位置を規制する規制部材であるサイドフェンス６４に限らず、用紙Ｐの用紙搬送方向の端部位置を規制する規制部材であるエンドフェンス６５にも同様のことが言える。ただし、サイドフェンス６４は、一般にエンドフェンス６５よりも大きい寸法をもつことから、特に木材の調湿機能（主に吸湿機能）や吸音機能による効果については、サイドフェンス６４を木製にする方が有利である。
【００３１】
図４は、本実施形態における給紙トレイ６０Ａ，６０Ｂ，６０Ｃを用紙搬送方向に対して直交する面で切断したときの断面図である。
サイドフェンス６４の下部は、樹脂製のスライド部６７に金属製のネジ等によって締結されて一体となっている。スライド部６７は、ガイド部材６８ａ，６８ｂによって用紙搬送方向への移動を規制されながら、用紙搬送方向に対して直交する方向（図４中矢印の方向）へ摺動することができる。ユーザーは、サイドフェンス６４を把持して用紙搬送方向に対して直交する方向へ移動させることで、給紙トレイ６０Ａ，６０Ｂ，６０Ｃにセットされる用紙Ｐのサイズに応じた位置に、サイドフェンス６４を位置決めすることができる。
【００３２】
ガイド部材６８ａ，６８ｂやスライド部６７についても木製とすることが可能である。ただし、ガイド部材６８ａ，６８ｂ及びスライド部６７は、互いに摺動する部材であることから、摺動性や耐摩耗性が求められるため、本実施形態では、木製よりも摺動性や耐摩耗性に優れた樹脂製のものを採用している。このように、求められる性能、機能が異なる部分について、木製と非木製（樹脂製や金属製など）とを使い分けることが好ましい。
【００３３】
なお、本実施形態の給紙トレイ６０Ａ，６０Ｂ，６０Ｃでは、その構成部材のうちのサイドフェンス６４を木製のものとしているが、例えば底板６６などの他の構成部材についても木製のものを採用してもよい。
【００３４】
図５は、本実施形態における画像形成装置１の斜視図である。
図６は、本実施形態における排紙トレイ５０を用紙搬送方向沿って切断したときの断面図である。
本実施形態においては、排紙トレイ５０を構成する構成部材のうち、用紙Ｐの近傍に配置される構成部材である載置部材としてのトレイ台５１及びベース部材５２に、木製のものを採用している。本実施形態のトレイ台５１及びベース部材５２も、無垢の木材を加工して形成されたものである。このように用紙Ｐの近傍に配置されるトレイ台５１及びベース部材５２が木製であることで、木材の調湿機能（主に吸湿機能）により、排紙トレイ５０に排出される用紙Ｐの湿度を調整したり（主に湿度を下げたり）、定着装置４０から画像形成装置１の排紙口を介して漏れ出る湿気を吸収したりすることができる。
【００３５】
また、画像形成装置１のユーザーが視野に入りやすい排紙トレイ５０に木製のものを採用することで、画像形成装置が設置されるオフィス等の環境であっても、ユーザーに木の温かみを感じてもらうことができ、ユーザーに落ち着きや安らぎを与える効果が期待できる。特に、本実施形態の排紙トレイ５０は、無垢の木材を加工して形成されたものであり、ユーザーに木の温かみを感じてもらいやすい。
【００３６】
また、画像形成装置１の内部の音が漏れ出す排紙口の近くに位置する排紙トレイ５０が木製であることで、木材の吸音機能により、画像形成装置１の内部で発生する騒音を吸収する効果も得られ、画像形成装置１の騒音対策にも効果を発揮する。
【００３７】
また、排紙トレイ５０として、いわゆるカーボンニュートラルである木製のものを採用することで、金属製やプラスチック製のものを採用する場合と比べて、環境へ配慮した製品づくりに寄与することができる。
【００３８】
本実施形態における排紙トレイ５０のトレイ台５１には、排紙口から排出される用紙Ｐが適切に排紙トレイ５０上に載置されるように、排紙口から排出される用紙Ｐの先端や用紙Ｐの下面が排紙トレイ５０とスムーズに摺動すること、すなわち摺動性が求められる。そのため、本実施形態では、トレイ台５１には、用紙Ｐと摺動する上面に、用紙搬送方向に長尺な１又は２以上のリブ５１ａを設けて用紙Ｐとの接触面積を減らすとともに、そのリブ５１ａには、木製よりも摺動性に優れた樹脂製のものを採用している。このように、求められる性能、機能が異なる部分について、木製と非木製（樹脂製や金属製など）とを使い分けることが好ましい。
【００３９】
〔変形例〕
次に、本実施形態の画像形成装置１における一変形例について説明する。
図７は、本変形例の画像形成装置１を示す斜視図である。
本変形例の画像形成装置１における画像形成部１００の構成は、上述した実施形態と同様であるため、説明を省略し、また、上述した実施形態と重複する説明についても適宜省略する。
【００４０】
本変形例の画像形成装置１には、被読取材である原稿の画像を読み取る画像読取装置としての画像読取部２００が設けられている。画像読取部２００には、自動原稿送り装置であるＡＤＦ（Automatic Document Feeder）２０１が備わっており、被読取材給送部としての原稿載置台２０２上にセットされた原稿を１枚ずつ送り出す。原稿載置台２０２から送り出された原稿は、複数の搬送ローラ対によって所定の搬送路に沿って搬送され、原稿排紙台２０３上に排紙される。本変形例の画像読取部２００は、搬送路中の画像読取箇所を通過する原稿の画像を読取部としてのスキャナ部によって読み取るシートスルー方式である。
【００４１】
本変形例のようにＡＤＦ２０１が画像形成装置１の上部に配置されている場合、ＡＤＦ２０１がユーザーの耳に近い位置をとるため、原稿の搬送時に発生する騒音が問題となりやすい。そのため、本変形例では、ＡＤＦ２０１を構成する構成部材の一部を木製としている。具体的には、本変形例では、ＡＤＦ２０１の原稿載置台２０２におけるサイドフェンス等の規制部材や、原稿載置台２０２の載置部材、原稿排紙台２０３の載置部材などの構成部材を木製としている。これにより、木材の吸音機能により、ＡＤＦ２０１による原稿搬送時の騒音を吸収する効果が得られ、画像形成装置１の騒音対策にも効果を発揮する。
【００４２】
また、画像形成装置１のユーザーが視野に入りやすい画像形成装置１の上部のＡＤＦ２０１に木製のものを採用することで、画像形成装置が設置されるオフィス等の環境であっても、ユーザーに木の温かみを感じてもらうことができ、ユーザーに落ち着きや安らぎを与える効果が期待できる。特に、本実施形態では、無垢の木材を加工して形成されたものであり、ユーザーに木の温かみを感じてもらいやすい。
【００４３】
原稿の近傍に配置される原稿載置台２０２の規制部材や載置部材、原稿排紙台２０３の載置部材などの構成部材を木製とすることで、木材の調湿機能（主に吸湿機能）により、給紙トレイ６０Ａ，６０Ｂ，６０Ｃ内の用紙Ｐの湿度を調整する（主に湿度を下げる）ことができる。そのほか、上述した給紙トレイを木製とする場合と同様の効果も適宜得ることができる。
【００４４】
また、図８に示すように、画像形成部１００には、手差し給紙トレイ７０が備わっている。この手差し給紙トレイ７０についても、給紙トレイ６０Ａ，６０Ｂ，６０Ｃと同様、その構成部材のうち、用紙Ｐの近傍に配置される構成部材であるサイドフェンス７４や底板７６などに、木製のものを採用してもよい。
【００４５】
なお、本実施形態において、「木製」とは、原材料に木材を含み、求められる木製の機能（調湿機能、吸音機能、木の温もり、質感など）が得られるように製造されるものを意味し、木材のみから製造されるものに限らず、木材と他の材料（樹脂や金属など）とから製造されるもの、ＭＤＦ（medium density fiberboard）、セルロースナノファイバー、ＷＰＣ（wood Plastic Combination）などの木材由来の加工材から製造されるもの等を含む。
【００４６】
以上に説明したものは一例であり、次の態様毎に特有の効果を奏する。
［第１態様］
第１態様は、保持する記録材（例えば用紙Ｐ）を給送する給送部（例えば用紙給紙部６０）と、前記給送部から給送される記録材に画像を形成する画像形成部１００と、前記画像形成部によって画像が形成された記録材が排出される排出部（例えば排紙トレイ５０）とを備えた画像形成装置１であって、前記給送部及び前記排出部のうちの少なくとも一方を構成する構成部材のうち、記録材の近傍に配置される構成部材（例えばサイドフェンス６４、トレイ台５１及びベース部材５２等）が木製であることを特徴とするものである。
本態様において、給送部や排出部を構成する木製の構成部材は、記録材の近傍に配置されているため、給送部に保持されている記録材や排出部に排出された記録材の周囲の空気に直接的に接することができる。これにより、木製の構成部材が木材の調湿機能を発揮して当該空気を調湿し、当該記録材の湿度を適切に調整することができる。したがって、給送部に保持される記録材や排出部に排出される記録材についての環境を好ましい状態に保つことができる。
また、木材の調湿機能により調湿が可能であることで、除湿ヒータなどのように電力を消費することなく調湿が可能となる点で、省エネルギーのメリットもある。
【００４７】
［第２態様］
第２態様は、第１態様において、前記木製の構成部材は、前記給送部における前記の内部に位置する部分を構成する構成部材（例えばサイドフェンス６４）を含むことを特徴とするものである。
これによれば、木製の構成部材が木材の調湿機能を発揮して、画像形成装置の内部の湿度を調整することができる。
【００４８】
［第３態様］
第３態様は、第２態様において、前記木製の構成部材は、前記給送部の収容部内に収容される記録材の端部位置を規制する規制部材（例えばサイドフェンス６４、エンドフェンス６５）であることを特徴とするものである。
本態様によれば、記録材に接触する位置に配置される規制部材が木製であることで、木材の調湿機能により、記録材の湿度をより適切に調整することができる。
【００４９】
［第４態様］
第４態様は、第１乃至第３態様のいずれかにおいて、前記給送部は、手差し給送部（例えば手差し給紙トレイ７０）であり、前記木製の構成部材は、前記手差し給送部を構成する構成部材（例えばサイドフェンス７４、底板７６等）を含むことを特徴とするものである。
これによれば、木製の構成部材が木材の調湿機能を発揮して、手差し給送部によって給送される記録材の湿度を適切に調整することができる。
【００５０】
［第５態様］
第５態様は、第１乃至第４態様のいずれかにおいて、前記木製の構成部材は、前記排出部における記録材が載置される載置部材（例えばトレイ台５１、ベース部材５２）を含むことを特徴とするものである。
これによれば、木製の構成部材が木材の調湿機能を発揮して、排出部に排出される記録材の湿度を適切に調整することができる。
【００５１】
［第６態様］
第６態様は、第１乃至第５態様のいずれかにおいて、被読取材給送部（例えば原稿載置台２０２）から給送される被読取材（例えば原稿）上の画像を読み取る画像読取部２００を有し、前記被読取材給送部を構成する構成部材のうち、被読取材の近傍に配置される構成部材（例えば原稿載置台２０２のサイドフェンス等など）が木製であることを特徴とするものである。
これによれば、木製の構成部材が木材の調湿機能を発揮して、被読取材給送部から給送される被読取材の湿度を適切に調整することができる。
【００５２】
［第７態様］
第７態様は、ユーザーが直接触れて操作する接触操作部（例えば取手部材６３、サイドフェンス６４等）を備えた画像形成装置１であって、前記接触操作部を支持する支持構造体を構成する構成部材（例えば、給紙トレイの外装部、スライド部６７及びガイド部材６８ａ，６８ｂ）の少なくとも一部が樹脂製又は金属製であり、前記接触操作部が木製であることを特徴とするものである。
このようにユーザーが直接触れて操作する接触操作部を木製とすることで、ユーザーに対し、操作時に金属製やプラスチック製等とは異なる質感を提供できる。また、接触操作部として木製のものを用いることで、それ自体で非操作部との視覚的な違いを生み出すことができ、わざわざ非操作部との視覚的な違いを出すために着色などの処理を行う必要がなくなる。
【００５３】
［第８態様］
第８態様は、画像形成部１００によって画像が形成された記録材（例えば用紙Ｐ）が排出される排出部（例えば排紙トレイ５０）が上部に配置され、該排出部の上方に対向して天板部材１０２が配置された画像形成装置１であって、前記天板部材が木製であることを特徴とするものである。
本態様によれば、天板部材の少なくとも一部分が排出部の上方に対向して配置されるので、画像形成部の金属製フレーム部材等と天板部材との接合箇所が少なく、定着装置等の熱源で発生する熱が天板部材へと伝わりにくい。よって、耐熱性の低い木製の天板部材を採用することができる。
そして、画像形成装置のユーザーの視野に入りやすい天板部材に木製のものを採用することで、画像形成装置が設置されるオフィス等の環境（一般に、木の温かみを感じることの少ない環境）であっても、ユーザーに木の温かみを感じてもらうことができ、ユーザーに落ち着きや安らぎを与える効果が期待できる。
また、排出部の上方に対向して配置される天板部材が木製であることで、木材の調湿機能（主に吸湿機能）により、排出部に排出される記録材の湿度を調整したり（主に湿度を下げたり）、画像形成装置の記録材排出口を介して漏れ出る湿気を吸収したりすることができる。特に、木材の調湿機能により調湿が可能であることで、除湿ヒータなどのように電力を消費することなく調湿が可能となる点で、省エネルギーのメリットもある。
また、排出部の上方に対向して配置される天板部材が木製であることで、木材の吸音機能により、画像形成装置の記録材排出口から漏れ出る騒音を吸収する効果が得られ、画像形成装置の騒音対策にも効果を発揮する。
【００５４】
［第９態様］
第９態様は、第１乃至第８態様のいずれかにおいて、前記木製の部材は、木材由来の加工材を用いて形成されることを特徴とするものである。
これによれば、木材由来の加工材を用いることで、例えば無垢な木材よりも、コスト的、機能的等の面で有利な場合がある。
【００５５】
［第１０態様］
第１０態様は、第９態様において、前記加工材は、中密度繊維板（ＭＤＦ）、セルロースナノファイバー又は木材プラスチック複合材（ＷＰＣ）であることを特徴とするものである。
これによれば、例えば中密度繊維板（ＭＤＦ）であれば、加工性などが良好で、密度が低いために軽量化が可能であり、高い吸音効果も得られるなどのメリットを享受できる。また、例えば木材プラスチック複合材（ＷＰＣ）であれば、木材と樹脂の性能を兼ね備えている部材を実現できる。このように、各種加工材の機能に応じたメリットを享受することができる。
【００５６】
［第１１態様］
第１１態様は、第１乃至１０態様のいずれかにおいて、前記木製の部材は、木製部分（例えばサイドフェンス６４）と樹脂製部分又は金属製部分（例えばガイド部材６８ａ，６８ｂ及びスライド部６７）とが組み合わされた部材であることを特徴とするものである。
これによれば、求められる性能、機能が異なる部分について、木製と非木製（樹脂製や金属製など）とを使い分けて、それぞれの部分に適した機能を得ることができる。
【００５７】
［第１２態様］
第１２態様は、保持する被読取材（例えば原稿）を給送する被読取材給送部（例えば原稿載置台２０２）と、前記被読取材給送部から給送される被読取材上の画像を読み取る読取部とを備えた画像読取装置（例えば画像読取部２００）であって、前記被読取材給送部を構成する構成部材のうち、被読取材の近傍に配置される構成部材（例えば原稿載置台２０２のサイドフェンス等など）が木製であることを特徴とするものである。
これによれば、木製の構成部材が木材の調湿機能を発揮して、被読取材給送部から給送される被読取材の湿度を適切に調整することができる。
【符号の説明】
【００５８】
１    ：画像形成装置
１０  ：作像部
１１  ：感光体
２０  ：中間転写ベルト
３０  ：二次転写装置
４０  ：定着装置
５０  ：排紙トレイ
５１  ：トレイ台
５１ａ：リブ
５２  ：ベース部材
６０Ａ〜６０Ｃ：給紙トレイ
６１  ：ピックアップローラ
６２  ：搬送ローラ対
６３  ：取手部材
６４  ：サイドフェンス
６５  ：エンドフェンス
６６  ：底板
６７  ：スライド部
６８ａ，６８ｂ：ガイド部材
１００：画像形成部
１０１：操作パネル
１０２：天板部材
２００：画像読取部
２０１：ＡＤＦ
２０２：原稿載置台
２０３：原稿排紙台
Ｐ    ：用紙
【先行技術文献】
【特許文献】
【００５９】
【特許文献１】特開２００１−１３０１０１号公報
【図１】
2022001530.tif 000003
【図２】
2022001530.tif 000004
【図３】
2022001530.tif 000005
【図４】
2022001530.tif 000006
【図５】
2022001530.tif 000007
【図６】
2022001530.tif 000008
【図７】
2022001530.tif 000009
【図８】
2022001530.tif 000010